(57)【特許請求の範囲】
【請求項１】
渦電流補正がなされた電気信号を勾配コイルに供給して勾配磁場を発生するにあたり、
前記渦電流補正の程度を設定し、
前記電気信号を、前記渦電流補正の程度が減少するほど勾配磁場の最大勾配およびスルーレートのうちの少なくとも一方を増大させる電気信号とする、
ことを特徴とする勾配磁場発生方法。
【請求項２】
渦電流補正がなされた電気信号を勾配コイルに供給して勾配磁場を発生するにあたり、
前記渦電流補正の程度を設定し、
前記電気信号を、前記渦電流補正の程度が減少するほど勾配磁場の最大勾配およびスルーレートを増大させる電気信号とする、
ことを特徴とする勾配磁場発生方法。
【請求項３】
前記渦電流補正の程度を磁気共鳴撮影用のパルスシーケンスごとに設定する、
ことを特徴とする請求項１または請求項２に記載の勾配磁場発生方法。
【請求項４】
前記渦電流補正の程度を磁気共鳴撮影用のパルスシーケンスにおける個々の勾配パルスごとに設定する、
ことを特徴とする請求項１または請求項２に記載の勾配磁場発生方法。
【請求項５】
勾配コイルと、
前記勾配コイルに渦電流補正がなされた電気信号を供給する電気信号供給手段と、
前記渦電流補正の程度を設定する補正程度設定手段と、
前記電気信号を前記渦電流補正の程度が減少するほど勾配磁場の最大勾配およびスルーレートのうちの少なくとも一方を増大させる電気信号とする電気信号調節手段と、
を具備することを特徴とする勾配磁場発生装置。
【請求項６】
勾配コイルと、
前記勾配コイルに渦電流補正がなされた電気信号を供給する電気信号供給手段と、
前記渦電流補正の程度を設定する補正程度設定手段と、
前記電気信号を前記渦電流補正の程度が減少するほど勾配磁場の最大勾配およびスルーレートを増大させる電気信号とする電気信号調節手段と、
を具備することを特徴とする勾配磁場発生装置。
【請求項７】
前記補正程度設定手段は前記渦電流補正の程度を磁気共鳴撮影用のパルスシーケンスごとに設定する、
ことを特徴とする請求項５または請求項６に記載の勾配磁場発生装置。
【請求項８】
前記補正程度設定手段は前記渦電流補正の程度を磁気共鳴撮影用のパルスシーケンスにおける個々の勾配パルスごとに設定する、
ことを特徴とする請求項５または請求項６に記載の勾配磁場発生装置。
【請求項９】
渦電流補正がなされた電気信号を勾配コイルに供給して勾配磁場を発生するにあたり、
前記渦電流補正の程度を設定し、
前記電気信号を、前記渦電流補正の程度が減少するほど勾配磁場の最大勾配およびスルーレートのうちの少なくとも一方を増大させる電気信号とする、
機能をコンピュータに実現させるプログラムをコンピュータで読み取り可能なように記録したことを特徴とする記録媒体。
【請求項１０】
渦電流補正がなされた電気信号を勾配コイルに供給して勾配磁場を発生するにあたり、
前記渦電流補正の程度を設定し、
前記電気信号を、前記渦電流補正の程度が減少するほど勾配磁場の最大勾配およびスルーレートを増大させる電気信号とする、
機能をコンピュータに実現させるプログラムをコンピュータで読み取り可能なように記録したことを特徴とする記録媒体。
【請求項１１】
前記渦電流補正の程度を磁気共鳴撮影用のパルスシーケンスごとに設定する、
ことを特徴とする請求項９または請求項１０に記載の記録媒体。
【請求項１２】
前記渦電流補正の程度を磁気共鳴撮影用のパルスシーケンスにおける個々の勾配パルスごとに設定する、
ことを特徴とする請求項９または請求項１０に記載の記録媒体。
【請求項１３】
静磁場、勾配磁場および高周波磁場を用いて対象から磁気共鳴信号を獲得し前記獲得した磁気共鳴信号に基づいて画像を再構成する磁気共鳴撮影装置であって、
前記勾配磁場を発生する手段は、
勾配コイルと、
前記勾配コイルに渦電流補正がなされた電気信号を供給する電気信号供給手段と、
前記渦電流補正の程度を設定する補正程度設定手段と、
前記電気信号を前記渦電流補正の程度が減少するほど勾配磁場の最大勾配およびスルーレートのうちの少なくとも一方を増大させる電気信号とする電気信号調節手段と、
を具備することを特徴とする磁気共鳴撮影装置。
【請求項１４】
静磁場、勾配磁場および高周波磁場を用いて対象から磁気共鳴信号を獲得し前記獲得した磁気共鳴信号に基づいて画像を再構成する磁気共鳴撮影装置であって、
前記勾配磁場を発生する手段は、
勾配コイルと、
前記勾配コイルに渦電流補正がなされた電気信号を供給する電気信号供給手段と、
前記渦電流補正の程度を設定する補正程度設定手段と、
前記電気信号を前記渦電流補正の程度が減少するほど勾配磁場の最大勾配およびスルーレートを増大させる電気信号とする電気信号調節手段と、
を具備することを特徴とする磁気共鳴撮影装置。
【請求項１５】
前記補正程度設定手段は前記渦電流補正の程度を磁気共鳴撮影用のパルスシーケンスごとに設定する、
ことを特徴とする請求項１３または請求項１４に記載の磁気共鳴撮影装置。
【請求項１６】
前記補正程度設定手段は前記渦電流補正の程度を磁気共鳴撮影用のパルスシーケンスにおける個々の勾配パルスごとに設定する、
ことを特徴とする請求項１３または請求項１４に記載の磁気共鳴撮影装置。
【発明の詳細な説明】
【０００１】
【発明の属する技術分野】
本発明は、勾配磁場発生方法および装置、記録媒体並びに磁気共鳴撮影装置に関し、特に、渦電流補正がなされた電気信号を勾配コイル（ｃｏｉｌ）に供給して勾配磁場を発生する方法および装置、そのような勾配磁場発生機能をコンピュータ（ｃｏｍｐｕｔｅｒ）に実現させるプログラム（ｐｒｏｇｒａｍ）を記録した記録媒体、並びに、そのような勾配磁場発生手段を備えた磁気共鳴撮影装置に関する。
【０００２】
【従来の技術】
磁気共鳴撮影（ＭＲＩ：Ｍａｇｎｅｔｉｃ  Ｒｅｓｏｎａｎｃｅ  Ｉｍａｇｉｎｇ）装置では、マグネットシステム（ｍａｇｎｅｔ  ｓｙｓｔｅｍ）の内部空間すなわち静磁場を形成した空間に撮影の対象を搬入し、勾配磁場および高周波磁場を印加して対象内のスピン（ｓｐｉｎ）から磁気共鳴信号を発生させ、その受信信号に基づいて断層像を再構成する。
【０００３】
勾配磁場は３軸方向すなわちスライス軸方向、位相軸方向および周波数軸方向にそれぞれ所定のタイミング（ｔｉｍｉｎｇ）で印加される。それら勾配磁場の勾配の大小および印加期間は、撮影に使用するパルスシーケンス（ｐｕｌｓｅ  ｓｅｑｕｅｎｃｅ）ごとに予め定められている。
【０００４】
勾配磁場は勾配コイルに電気信号を供給することによって発生させる。電気信号は例えば図１４の（１）に実線で示すような台形波電流を基本とする。この台形波は勾配磁場の波形ともなり、上底の高さが勾配の大きさに相当し、上底の長さが印加期間に相当する。
【０００５】
このような勾配磁場を発生させるとき、台形波の立ち上がりおよび立ち下がりに伴う磁場変化によって勾配コイルの近辺の導電体に渦電流が発生し、その影響で、スピンに作用する有効な勾配磁場の波形は、同図の破線で示すように、立ち上がり部の肩部および立ち下がりの裾部が鈍化したものとなり、実線で示す正規の台形波勾配磁場に対して誤差を持つ。このような勾配磁場の誤差は再構成画像の品質低下の原因となる。
【０００６】
そこで、同図の（２）に斜線部で示すように、電気信号に渦電流の影響を除くための補正を加えるようにしている。補正された電気信号は、立ち上がり部において、渦電流がないとしたときに正規の勾配磁場を発生するのに要する台形波（破線）の高さを越えるオーバーシュート（ｏｖｅｒ  ｓｈｏｏｔ）を持ち、立ち下がり部において負側へのアンダーシュート（ｕｎｄｅｒ  ｓｈｏｏｔ）を持つ。また、立ち上がりおよび立ち下がりのスルーレート（ｓｌｅｗ  ｒａｔｅ）は、渦電流がないとしたときに正規の勾配磁場を発生するに要する台形波のスルーレートよりも大きい。
【０００７】
この波形は、主として、（１）に示した波形における実線と破線の差分を実線に加算したものに相当し、差分加算に伴う渦電流の増加があるのでその補正分も加味されている。
【０００８】
このような電気信号を供給するための信号源としては、渦電流がないとしたときに正規の勾配磁場を発生するのに要する電気信号を供給するものよりも大出力かつ高スルーレートの信号源が用いられる。
【０００９】
そのような信号源は、例えば（２）において一点鎖線で示すように、オーバーシュートのピーク（ｐｅａｋ）値以上の高さおよびそのスルーレート以上のスルーレートを持つ台形波信号を出力する最大出力能力を有する。
【００１０】
【発明が解決しようとする課題】
必要とする渦電流補正の程度はパルスシーケンスによって異なり、高速のイメージングを行うエコープラナー（ＥＰＩ：Ｅｃｈｏ  Ｐｌａｎａｒ  Ｉｍａｇｉｎｇ）法等では高精度の渦電流補正が不可欠であるが、例えばスピンエコー（ＳＥ：Ｓｐｉｎ  Ｅｃｈｏ）法等、特に高速を要しないイメージングではさほど精度の良い渦電流補正を必要とせず、現実的にはほとんど渦電流補正をしなくても大きな問題は生じない。
【００１１】
従来はＥＰＩ法等に合わせて一律に精密な渦電流補正を行っているので、信号源の能力上は、渦電流補正の精度を緩和すればより勾配が大きいあるいはよりスルーレートが高い勾配磁場の発生が可能であるのに、そのような信号源の能力の活用は行われていなかった。
【００１２】
そこで、本発明の課題は、渦電流補正の程度を多様化し、それに応じて勾配の大きさおよびスルーレートを多様化する勾配磁場発生方法および装置、そのような勾配磁場発生機能をコンピュータに実現させるプログラムを記録した記録媒体、並びに、そのような勾配磁場発生手段を備えた磁気共鳴撮影装置を実現することである。
【００１３】
【課題を解決するための手段】
（１）上記の課題を解決するための１つの観点での発明は、渦電流補正がなされた電気信号を勾配コイルに供給して勾配磁場を発生するにあたり、前記渦電流補正の程度を設定し、前記電気信号を前記渦電流補正の程度が減少するほど勾配磁場の最大勾配およびスルーレートのうちの少なくとも一方を増大させる電気信号とする、ことを特徴とする勾配磁場発生方法である。
【００１４】
（２）上記の課題を解決するための１つの観点での発明は、渦電流補正がなされた電気信号を勾配コイルに供給して勾配磁場を発生するにあたり、前記渦電流補正の程度を設定し、前記電気信号を前記渦電流補正の程度が減少するほど勾配磁場の最大勾配およびスルーレートを増大させる電気信号とする、ことを特徴とする勾配磁場発生方法である。
【００１５】
（３）上記の課題を解決するための他の観点での発明は、勾配コイルと、前記勾配コイルに渦電流補正がなされた電気信号を供給する電気信号供給手段と、前記渦電流補正の程度を設定する補正程度設定手段と、前記電気信号を前記渦電流補正の程度が減少するほど勾配磁場の最大勾配およびスルーレートのうちの少なくとも一方を増大させる電気信号とする電気信号調節手段と、を具備することを特徴とする勾配磁場発生装置である。
【００１６】
（４）上記の課題を解決するための他の観点での発明は、勾配コイルと、前記勾配コイルに渦電流補正がなされた電気信号を供給する電気信号供給手段と、前記渦電流補正の程度を設定する補正程度設定手段と、前記電気信号を前記渦電流補正の程度が減少するほど勾配磁場の最大勾配およびスルーレートを増大させる電気信号とする電気信号調節手段と、を具備することを特徴とする勾配磁場発生装置である。
【００１７】
（５）上記の課題を解決するための他の観点での発明は、渦電流補正がなされた電気信号を勾配コイルに供給して勾配磁場を発生するにあたり、前記渦電流補正の程度を設定し、前記電気信号を前記渦電流補正の程度が減少するほど勾配磁場の最大勾配およびスルーレートのうちの少なくとも一方を増大させる電気信号とする、機能をコンピュータに実現させるプログラムをコンピュータで読み取り可能なように記録したことを特徴とする記録媒体である。
【００１８】
（６）上記の課題を解決するための他の観点での発明は、渦電流補正がなされた電気信号を勾配コイルに供給して勾配磁場を発生するにあたり、前記渦電流補正の程度を設定し、前記電気信号を前記渦電流補正の程度が減少するほど勾配磁場の最大勾配およびスルーレートを増大させる電気信号とする、機能をコンピュータに実現させるプログラムをコンピュータで読み取り可能なように記録したことを特徴とする記録媒体である。
【００１９】
（７）上記の課題を解決するための他の観点での発明は、静磁場、勾配磁場および高周波磁場を用いて対象から磁気共鳴信号を獲得し前記獲得した磁気共鳴信号に基づいて画像を再構成する磁気共鳴撮影装置であって、前記勾配磁場を発生する手段は、勾配コイルと、前記勾配コイルに渦電流補正がなされた電気信号を供給する電気信号供給手段と、前記渦電流補正の程度を設定する補正程度設定手段と、前記電気信号を前記渦電流補正の程度が減少するほど勾配磁場の最大勾配およびスルーレートのうちの少なくとも一方を増大させる電気信号とする電気信号調節手段と、を具備することを特徴とする磁気共鳴撮影装置である。
【００２０】
（８）上記の課題を解決するための他の観点での発明は、静磁場、勾配磁場および高周波磁場を用いて対象から磁気共鳴信号を獲得し前記獲得した磁気共鳴信号に基づいて画像を再構成する磁気共鳴撮影装置であって、前記勾配磁場を発生する手段は、勾配コイルと、前記勾配コイルに渦電流補正がなされた電気信号を供給する電気信号供給手段と、前記渦電流補正の程度を設定する補正程度設定手段と、前記電気信号を前記渦電流補正の程度が減少するほど勾配磁場の最大勾配およびスルーレートを増大させる電気信号とする電気信号調節手段と、を具備することを特徴とする磁気共鳴撮影装置である。
【００２１】
上記各観点での発明では、勾配コイルに供給する電気信号を、渦電流補正の程度が減少するほど勾配磁場の最大勾配およびスルーレートのうちの少なくとも一方または双方を増大させる電気信号とするので、電気信号源の能力を有効活用し勾配磁場の最大勾配およびスルーレートを多様化することができる。
【００２２】
上記各観点での発明において、渦電流補正の程度を磁気共鳴撮影用のパルスシーケンスごとに設定することにより、パルスシーケンスごとに最適な勾配磁場を得ることができる。
【００２３】
また、上記各観点での発明において、渦電流補正の程度を磁気共鳴撮影用のパルスシーケンスにおける個々の勾配パルスごとに設定することにより、個々の勾配パルスごとに最適な勾配磁場を得ることができる。
【００２４】
【発明の実施の形態】
以下、図面を参照して本発明の実施の形態を詳細に説明する。なお、本発明は実施の形態に限定されるものではない。図１に磁気共鳴撮影装置のブロック（ｂｌｏｃｋ）図を示す。本装置は本発明の実施の形態の一例である。本装置の構成によって、本発明の装置に関する実施の形態の一例が示される。本装置の動作によって、本発明の方法に関する実施の形態の一例が示される。
【００２５】
図１に示すように、本装置はマグネットシステム１００を有する。マグネットシステム１００は主磁場コイル（ｃｏｉｌ）部１０２、勾配コイル部１０６およびＲＦ（ｒａｄｉｏ  ｆｒｅｑｕｅｎｃｙ）コイル部１０８を有する。これら各コイル部は概ね円筒状の形状を有し、互いに同軸的に配置されている。マグネットシステム１００の概ね円柱状の内部空間（ボア：ｂｏｒｅ）に、撮影の対象３００がクレードル（ｃｒａｄｌｅ）５００に搭載されて図示しない搬送手段により搬入および搬出される。
【００２６】
主磁場コイル部１０２はマグネットシステム１００の内部空間に静磁場を形成する。静磁場の方向は概ね対象３００の体軸の方向に平行である。すなわちいわゆる水平磁場を形成する。主磁場コイル部１０２は例えば超伝導コイルを用いて構成される。なお、超伝導コイルに限らず常伝導コイル等を用いて構成しても良いのはもちろんである。
【００２７】
勾配コイル部１０６は、互いに垂直な３軸すなわちスライス軸、位相軸および周波数軸の方向において、それぞれ静磁場強度に勾配を持たせるための３つの勾配磁場を生じる。
【００２８】
静磁場空間における互いに垂直な座標軸をｘ，ｙ，ｚとしたとき、いずれの軸もスライス軸とすることができる。その場合、残り２軸のうちの一方を位相軸とし、他方を周波数軸とする。また、スライス軸、位相軸および周波数軸は、相互間の垂直性を保ったままｘ，ｙ，ｚ軸に関して任意の傾きを持たせることも可能である。
【００２９】
スライス軸方向の勾配磁場をスライス勾配磁場という。位相軸方向の勾配磁場を位相エンコード勾配磁場という。周波数軸方向の勾配磁場をリードアウト勾配磁場という。このような勾配磁場の発生を可能にするために、勾配コイル部１０６は図示しない３系統の勾配コイルを有する。以下、勾配磁場を単に勾配ともいう。
【００３０】
ＲＦコイル部１０８は静磁場空間に対象３００の体内のスピンを励起するための高周波磁場を形成する。以下、高周波磁場を形成することをＲＦ励起信号の送信ともいう。ＲＦコイル部１０８は、また、励起されたスピンが生じる電磁波すなわち磁気共鳴信号を受信する。
【００３１】
ＲＦコイル部１０８は図示しない送信用のコイルおよび受信用のコイルを有する。送信用のコイルおよび受信用のコイルは、同じコイルを兼用するかあるいはそれぞれ専用のコイルを用いる。
【００３２】
勾配コイル部１０６には勾配駆動部１３０が接続されている。勾配駆動部１３０は勾配コイル部１０６に電気的な駆動信号を与えて勾配磁場を発生させる。駆動信号はパルス的な電流である。そのような電流はパルス的な電圧を印加するによって供給される。本書では、駆動信号は電流および電圧を総称して電気信号ともいう。勾配駆動部１３０は、勾配コイル部１０６における３系統の勾配コイルに対応して、図示しない３系統の駆動回路を有する。
【００３３】
ＲＦコイル部１０８にはＲＦ駆動部１４０が接続されている。ＲＦ駆動部１４０はＲＦコイル部１０８に駆動信号を与えてＲＦ励起信号を送信し、対象３００の体内のスピンを励起する。
【００３４】
ＲＦコイル部１０８にはデータ収集部１５０が接続されている。データ収集部１５０は、ＲＦコイル部１０８が受信した受信信号をサンプリング（ｓａｍｐｌｉｎｇ）によって取り込み、それをディジタルデータ（ｄｉｇｉｔａｌ  ｄａｔａ）として収集する。
【００３５】
勾配駆動部１３０、ＲＦ駆動部１４０およびデータ収集部１５０には制御部１６０が接続されている。制御部１６０は、勾配駆動部１３０ないしデータ収集部１５０をそれぞれ制御して撮影を遂行する。
【００３６】
制御部１６０は、例えばコンピュータ等を用いて構成される。制御部１６０は図示しないメモリ（ｍｅｍｏｒｙ）を有する。メモリは制御部１６０用のプログラムおよび各種のデータを記憶している。制御部１６０の機能は、コンピュータがメモリに記憶されたプログラムを実行することにより実現される。
【００３７】
データ収集部１５０の出力側はデータ処理部１７０に接続されている。データ収集部１５０が収集したデータがデータ処理部１７０に入力される。データ処理部１７０は、例えばコンピュータ等を用いて構成される。データ処理部１７０は図示しないメモリを有する。メモリはデータ処理部１７０用のプログラムおよび各種のデータを記憶している。
【００３８】
データ処理部１７０には制御部１６０が接続されている。データ処理部１７０は制御部１６０の上位にあってそれを統括する。本装置の機能は、データ処理部１７０がメモリに記憶されたプログラムを実行することによりを実現される。
【００３９】
データ処理部１７０は、データ収集部１５０が収集したデータをメモリに記憶する。メモリ内にはデータ空間が形成される。このデータ空間は、２次元フーリエ（Ｆｏｕｒｉｅｒ）空間を構成する。以下、フーリエ空間をｋスペース（ｋ−ｓｐａｃｅ）ともいう。データ処理部１７０は、ｋスペースのデータを２次元逆フ−リエ変換することにより対象３００の画像を再構成する。
【００４０】
データ処理部１７０には表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇｄｅｖｉｃｅ）を備えたキーボード（ｋｅｙｂｏａｒｄ）等で構成される。
【００４１】
表示部１８０は、データ処理部１７０から出力される再構成画像および各種の情報を表示する。操作部１９０は、使用者によって操作され、各種の指令や情報等をデータ処理部１７０に入力する。使用者は表示部１８０および操作部１９０を通じてインタラクティブ（ｉｎｔｅｒａｃｔｉｖｅ）に本装置を操作する。
【００４２】
勾配コイル部１０６、勾配駆動部１３０、制御部１６０、データ処理部１７０、表示部１８０および操作部１９０からなる部分は、本発明の勾配磁場発生装置の実施の形態の一例である。本装置の構成によって、本発明の装置に関する実施の形態の一例が示される。本装置の動作によって、本発明の方法に関する実施の形態の一例が示される。
【００４３】
勾配コイル部１０６は、本発明における勾配コイルの実施の形態の一例である。勾配駆動部１３０は、本発明における電気信号供給手段の実施の形態の一例である。データ処理部１７０、表示部１８０および操作部１９０からなる部分は、本発明における補正程度設定手段の実施の形態の一例である。制御部１６０およびデータ処理部１７０からなる部分は、本発明における電気信号調節手段の実施の形態の一例である。
【００４４】
図２に、他の方式の磁気共鳴撮影装置のブロック図を示す。本装置は本発明の実施の形態の一例である。本装置の構成によって、本発明の装置に関する実施の形態の一例が示される。本装置の動作によって、本発明の方法に関する実施の形態の一例が示される。
【００４５】
図２に示す装置は、図１に示した装置とは方式を異にするマグネットシステム１００’を有する。マグネットシステム１００’以外は図１に示した装置と同様な構成になっており、同様な部分に同一の符号を付して説明を省略する。
【００４６】
マグネットシステム１００’は主磁場マグネット部１０２’、勾配コイル部１０６’およびＲＦコイル部１０８’を有する。これら主磁場マグネット部１０２’および各コイル部は、いずれも空間を挟んで互いに対向する１対のものからなる。また、いずれも概ね円盤状の形状を有し中心軸を共有して配置されている。マグネットシステム１００’の内部空間（ボア）に、対象３００がクレードル５００に搭載されて図示しない搬送手段により搬入および搬出される。
【００４７】
主磁場マグネット部１０２’はマグネットシステム１００’の内部空間に静磁場を形成する。静磁場の方向は概ね対象３００の体軸方向と直交する。すなわちいわゆる垂直磁場を形成する。主磁場マグネット部１０２’は例えば永久磁石等を用いて構成される。なお、永久磁石に限らず超伝導電磁石あるいは常伝導電磁石等を用いて構成しても良いのはもちろんである。
【００４８】
勾配コイル部１０６’は静磁場強度に勾配を持たせるための勾配磁場を生じる。発生する勾配磁場は、スライス勾配磁場、リードアウト勾配磁場および位相エンコード勾配磁場の３種であり、これら３種類の勾配磁場に対応して勾配コイル部１０６’は図示しない３系統の勾配コイルを有する。
【００４９】
ＲＦコイル部１０８’は静磁場空間に対象３００の体内のスピンを励起するためのＲＦ励起信号を送信する。ＲＦコイル部１０８’は、また、励起されたスピンが生じる磁気共鳴信号を受信する。
【００５０】
ＲＦコイル部１０８’は図示しない送信用のコイルおよび受信用のコイルを有する。送信用のコイルおよび受信用のコイルは、同じコイルを兼用するかあるいはそれぞれ専用のコイルを用いる。
【００５１】
勾配コイル部１０６’、勾配駆動部１３０、制御部１６０およびデータ処理部１７０、表示部１８０および操作部１９０からなる部分は、本発明の勾配磁場発生装置の実施の形態の一例である。本装置の構成によって、本発明の装置に関する実施の形態の一例が示される。本装置の動作によって、本発明の方法に関する実施の形態の一例が示される。
【００５２】
勾配コイル部１０６’は、本発明における勾配コイルの実施の形態の一例である。勾配駆動部１３０は、本発明における電気信号供給手段の実施の形態の一例である。データ処理部１７０、表示部１８０および操作部１９０からなる部分は、本発明における補正程度設定手段の実施の形態の一例である。制御部１６０およびデータ処理部１７０からなる部分は、本発明における電気信号調節手段の実施の形態の一例である。
【００５３】
図３に、図１または図２に示した装置が磁気共鳴撮影用のスキャン（ｓｃａｎ）を行うときに使用するパルスシーケンスの一例を示す。このパルスシーケンスはグラディエントエコー（ＧＲＥ：ｇｒａｄｉｅｎｔ  ｅｃｈｏ）法のパルスシーケンスである。
【００５４】
同図の（１）はＲＦ励起用のα°パルスのシーケンスであり、（２）、（３）および（４）は、それぞれ、スライス勾配Ｇｓ、位相エンコード勾配Ｇｐおよびリードアウト勾配Ｇｒのシーケンスであり、（５）グラディエントエコーＧＥのシーケンスである。なお、ＲＦ励起パルスは中心信号で代表する。パルスシーケンスは時間軸ｔに沿って左から右に進行する。以下に示す他のパルスシーケンスも同様である。
【００５５】
同図に示すように、α°パルスによりスピンのα°励起を行う。αは９０以下である。このときスライス勾配Ｇｓを印加して所定のスライスについての選択励起を行う。
【００５６】
α°励起後、位相エンコード勾配Ｇｐによりスピンの位相エンコードを行う。次に、リードアウト勾配Ｇｒ１によりまずスピンをディフェーズ（ｄｅｐｈａｓｅ）し、次いでリードアウト勾配Ｇｒ２スピンをリフェーズ（ｒｅｐｈａｓｅ）して、グラディエントエコーＧＥを発生させる。
【００５７】
グラディエントエコーＧＥは、エコー中心に関して対称的な波形を持つＲＦ信号となる。中心エコーはα°励起からＴＥ（ｅｃｈｏ  ｔｉｍｅ）後に生じる。グラディエントエコーＧＥは、データ収集部１５０によりビューデータとして収集される。
【００５８】
このようなパスルシーケンスが周期ＴＲ（ｒｅｐｅｔｉｔｉｏｎ  ｔｉｍｅ）で６４〜５１２回繰り返される。繰り返しのたびに位相エンコード勾配Ｇｐを変更し、毎回異なる位相エンコードを行う。これによって、ｋスペースに６４〜５１２ビューのビューデータが得られる。データ処理部１７０は、ビューデータを２次元逆フーリエ変換して対象３００の断層像を再構成する。
【００５９】
図４に、パルスシーケンスの他の例を示す。これはスピンエコー（ＳＥ：Ｓｐｉｎ  Ｅｃｈｏ）法のパルスシーケンスである。同図の（１）は９０°励起および１８０°励起のシーケンスであり、（２）、（３）および（４）はそれぞれスライス勾配Ｇｓ、位相エンコード勾配Ｇｐおよびリードアウト勾配Ｇｒのシーケンスであり、（５）はスピンエコーＳＥのシーケンスである。
【００６０】
同図に示すように、スライス勾配Ｇｓ１を印加した状態で９０°励起を行う。次に、所定時間後にスライス勾配Ｇｓ２を印加した状態で１８０°励起を行う。９０°励起から１８０°励起までの期間に位相エンコード勾配Ｇｐ１を印加して位相エンコードを行い、リードアウト勾配Ｇｒ１を印加してディフェーズを行う。
【００６１】
次に、１８０°励起後にリードアウト勾配Ｇｒ２を印加してリフェーズを行ってスピンエコーＳＥを発生させる。スピンエコーを発生させたリードアウト勾配Ｇｒ２は後半部分でスピンをディフェーズする。スピンエコーＳＥのピークは、９０°励起から時間ＴＥ後に生じる。ピークの発生をスピンエコーの結像ともいう。スピンエコーＳＥはデータ収集部１５０によりビューデータとして収集される。
【００６２】
このようなパルスシーケンスを周期ＴＲで６４〜５１２回繰り返すことにより、ｋスペースに６４〜５１２ビューのスピンエコーデータが得られる。これらスピンエコーデータを２次元逆フーリエ変換することにより画像が再構成される。
【００６３】
図５に、パルスシーケンスの他の例を示す。これはファースト・スピンエコー（ＦＳＥ：Ｆａｓｔ  Ｓｐｉｎ  Ｅｃｈｏ）法のパルスシーケンスである。同図の（１）は９０°励起および１８０°励起のシーケンスであり、（２）、（３）および（４）はそれぞれスライス勾配Ｇｓ、位相エンコード勾配Ｇｐおよびリードアウト勾配Ｇｒのシーケンスであり、（５）はスピンエコーＳＥのシーケンスである。
【００６４】
同図に示すように、スライス勾配Ｇｓ１を印加した状態で９０°励起を行う。次に、時間Ｕ１後にスライス勾配Ｇｓ２を印加した状態で１回目の１８０°励起を行う。次に、時間Ｕ２後にスライス勾配Ｇｓ３を印加した状態で２回目の１８０°励起を行う。以下同様に、時間Ｕ２ごとに、スライス勾配Ｇｓ４，Ｇｓ５，・・・をそれぞれ印加した状態で３回目、４回目、・・・の１８０°励起をそれぞれ行う。
【００６５】
９０°励起から１回目の１８０°励起までの期間にリードアウト勾配Ｇｒ１を印加してディフェーズを行う。次に、１回目の１８０°励起から２回目の１８０°励起までの期間にリードアウト勾配Ｇｒ２を印加してリフェーズを行って１回目のスピンエコーＳＥ１を発生させる。スピンエコーを発生させたリードアウト勾配Ｇｒ２は後半部分でスピンをディフェーズする。
【００６６】
リードアウト勾配Ｇｒ２の印加に先立って位相エンコード勾配Ｇｐ１を印加して位相エンコードを行い、リードアウト勾配Ｇｒ２の印加が終わった後に位相エンコード勾配Ｇｐ１’を逆方向に印加して位相エンコードをうち消す。
【００６７】
以下同様に、各１８０°励起の間の期間でリードアウト勾配Ｇｒ３，Ｇｒ４，・・・をそれぞれ印加してスピンエコーＳＥ２，ＳＥ３，・・・をそれぞれ発生させる。また、位相エンコード勾配Ｇｐ２，Ｇｐ３，・・・により、それぞれ位相エンコードを行い、位相エンコード勾配Ｇｐ２’，Ｇｐ３’，・・・によりそれぞれ位相エンコードをうち消す。位相エンコードは毎回異ならせる。
【００６８】
１回目のスピンエコーＳＥ１は、９０°励起から時間ＴＥ後に結像する。２回目のスピンエコーＳＥ２は、１回目のスピンエコーＳＥ１のピークから時間ＴＥ後に結像する。以下同様に、時間ＴＥ間隔でスピンエコーＳＥ３，ＳＥ４，・・・が結像する。スピンエコーＳＥ１，ＳＥ２，ＳＥ３，・・・は、データ収集部１５０によりビューデータとしてそれぞれ収集される。
【００６９】
このパルスシーケンスによって、１回の９０°励起あたり例えば１６ビューのスピンエコーデータが収集される。これを周期ＴＲで例えば３２回繰り返すことにより、ｋスペースに５１２ビューのスピンエコーデータが得られる。これらスピンエコーデータを２次元逆フーリエ変換することにより画像が再構成される。
【００７０】
図６に、パルスシーケンスの他の例を示す。これはエコープラナー（ＥＰＩ：Ｅｃｈｏ  Ｐｌａｎａｒ  Ｉｍａｇｉｎｇ）法のパルスシーケンスである。同図の（１）はα°励起のシーケンスであり、（２）、（３）および（４）はそれぞれスライス勾配Ｇｓ、位相エンコード勾配Ｇｐおよびリードアウト勾配Ｇｒのシーケンスであり、（５）はエコーＥＣのシーケンスである。
【００７１】
同図に示すように、スライス勾配Ｇｓ１を印加した状態でα°励起を行う。α°励起後、位相エンコード勾配Ｇｐ１によりスピンの位相エンコードを行う。また、リードアウト勾配Ｇｒ０によりまずスピンをディフェーズし、次いでリードアウト勾配Ｇｒ１でスピンをリフェーズして、エコーＥＣ１を結像させる。エコーＥＣ１を結像させたリードアウト勾配Ｇｒ１は後半部分でスピンをディフェーズする。エコーＥＣ１は、データ収集部１５０によりビューデータとして収集される。
【００７２】
次に、極性を反転させたリードアウト勾配Ｇｒ２を印加する。極性反転に合わせて位相エンコード勾配Ｇｐ２により位相エンコード量を所定量変化させる。そしてリードアウト勾配Ｇｒ２でスピンをリフェーズして、エコーＥＣ２を結像させる。エコーＥＣ２を結像させたリードアウト勾配Ｇｒ２は後半部分でスピンをディフェーズする。エコーＥＣ２は、データ収集部１５０によりビューデータとして収集される。
【００７３】
以下同様に、極性が交互に反転するリードアウト勾配Ｇｒ３，Ｇｒ４，Ｇｒ５，Ｇｒ６，Ｇｒ７を印加して、エコーＥＣ３，ＥＣ４，ＥＣ５，ＥＣ６，ＥＣ７をそれぞれ結像させる。エコーＥＣ３，ＥＣ４，ＥＣ５，ＥＣ６，ＥＣ７は、データ収集部１５０によりビューデータとしてそれぞれ収集される。
【００７４】
このようなパスルシーケンスにより１回のα°励起で例えば２５６ビューのビューデータがｋスペースに得られる。データ処理部１７０は、ビューデータを２次元逆フーリエ変換して対象３００の断層像を再構成する。
【００７５】
これらパルスシーケンスのうち、ＥＰＩ法のパルスシーケンスは渦電流の影響に対して最も敏感なので、勾配駆動部１３０は、ＥＰＩ法において必要とされる渦電流補正がなされた駆動信号を出力する能力を有する。
【００７６】
図７に、勾配駆動部１３０の能力を概念的に示す。同図に一点鎖線で示す台形波は勾配駆動部１３０の最大の電流出力能力を示す波形である。台形波の高さが出力の最大値を表す。台形波の立ち上がりおよび立ち下がりの傾斜が、スルーレートの最大値を表す。なお、最大の電圧出力能力は、上記最大電流と勾配コイルのインピーダンス（ｉｍｐｅｄａｎｃｅ）との積で与えられる。
【００７７】
この能力の範囲内で、実線で示すような波形を持つ駆動信号を出力する。駆動出力の波形は制御部１６０によって決められる。駆動出力の波形は、立ち上がりおよび立ち下がりにそれぞれオーバーシュートおよびアンダーシュートを持つ台形波である。オーバーシュートの頂点の高さは、勾配駆動部１３０の最大出力値に達する。オーバーシュートが収束した後の台形波の高さは、勾配駆動部１３０の最大出力能力よりもオーバーシュート分だけ低い。スルーレートは、勾配駆動部１３０のスルーレートの最大能力よりも小さい。
【００７８】
このような駆動出力を勾配コイル部１０６（１０６’）に供給することにより、スピンに作用する有効な勾配を、破線で示すように、精度の良い台形波とすることができ、それによって渦電流誤差のない勾配磁場をスピンに作用させることができる。このようにして、例えば１５％ある渦電流誤差を補正することができる。このような補正を１５％の渦電流補正ともいう。
【００７９】
勾配駆動部１３０は、制御部１６０による制御の下で、図８に実線で示すような波形を持つ駆動信号を出力することが可能になっている。駆動出力の波形は、オーバーシュートおよびアンダーシュートを持つ台形波である。
【００８０】
オーバーシュートおよびアンダーシュートは図７に示したものより小さく、スルーレートは図７に示したものより大きい。オーバーシュートの頂点の高さは、勾配駆動部１３０の最大出力値に達する。このため、オーバーシュートが収束した後の台形波の高さは、図７に示したものより高くなる。
【００８１】
このような駆動出力で勾配コイル部１０６（１０６’）を駆動すると、スピンに作用する有効な勾配は、破線で示すように、波形の立ち上がり部の肩および立ち下がり部の裾が鈍化した台形波となる。これによって、例えば１５％ある渦電流誤差を１０％分だけ補正することができる。このような補正を１０％の渦電流補正ともいう。
【００８２】
このような有効勾配は波形が鈍化した分だけ渦電流誤差を有するが、ＥＰＩ法ほど厳密な渦電流補正を必要としない例えばＦＳＥ法等においては十分使用に耐える。しかも、台形波の高さが増すことにより勾配の最大値すなわちいわゆる最大勾配Ｇｍａｘを大きくすることができ、また、スルーレートが高いことにより動作速度が高まる。
【００８３】
勾配駆動部１３０は、また、制御部１６０による制御の下で、図９に実線で示すような波形を持つ駆動信号を出力することが可能になっている。駆動出力の波形は、オーバーシュートおよびアンダーシュートを持つ台形波である。
【００８４】
オーバーシュートおよびアンダーシュートは図８に示したものより小さく、スルーレートは図８に示したものより大きい。オーバーシュートの頂点の高さは、勾配駆動部１３０の最大出力値に達する。このため、オーバーシュートが収束した後の台形波の高さは、図８に示したものより高くなる。
【００８５】
このような駆動出力で勾配コイル部１０６（１０６’）を駆動すると、スピンに作用する有効な勾配は、破線で示すように、波形の立ち上がり部の肩および立ち下がり部の裾がさらに鈍化した台形波となる。これによって、例えば１５％ある渦電流誤差を５％分だけ補正することができる。このような補正を５％の渦電流補正ともいう。
【００８６】
このような有効勾配は波形の鈍化が増した分だけ渦電流誤差が増すが、渦電流補正が少なくて良い例えばＧＲＥ法やＳＥ法等においては十分使用に耐える。しかも、台形波の高さがさらに増すことにより最大勾配Ｇｍａｘをさらに大きくすることができ、また、スルーレートがより高いことにより動作速度がより高まる。
【００８７】
勾配駆動部１３０は、さらに、制御部１６０による制御の下で、図１０に実線で示すような波形を持つ駆動信号を出力することが可能になっている。駆動出力の波形は、駆動部１３０の最大能力によって定まる台形波である。台形波の高さは出力の最大値となる。
【００８８】
このような駆動出力で勾配コイル部１０６（１０６’）を駆動すると、スピンに作用する有効な勾配は、破線で示すように、波形の立ち上がり部の肩および立ち下がり部の裾の鈍化が最大の台形波となる。これは渦電流補正を行わないものである。すなわち０％補正である。
【００８９】
このような有効勾配は渦電流誤差が最大となるが、例えばスピンの位相を分散させる勾配すなわちクラッシャ（ｃｒｕｓｈｅｒ）等は渦電流誤差を問題にしないので、そのための勾配として使用することができる。
【００９０】
その場合、台形波の高さ最大になることにより最大勾配Ｇｍａｘを勾配駆動部１３０の最大能力値に一致させることができ、また、スルーレートが最高であることにより動作速度が最高になる。
【００９１】
このように、渦電流補正の程度を可変にすることにより、勾配駆動部１３０の本来の能力を有効に活用することができる。また、撮影条件を設定するにあたり、渦電流影響が小さい撮影方法については渦電流補正の程度を小さく設定し、その代わり最大勾配Ｇｍａｘおよびスルーレートを大きく設定することができる。なお、最大勾配Ｇｍａｘおよびスルーレートはいずれか一方を大きく設定するようにしても良い。そして、それによって、以下に述べるように、撮影条件の自由度を増すことができる。
【００９２】
図１１に、図１または図２に示した装置による磁気共鳴撮影のフロー（ｆｌｏｗ）図を示す。同図に示すように、ステップ（ｓｔｅｐ）１１２で撮影条件設定が行われる。撮影条件設定は使用者により操作部１９０を通じて行われる。設定された撮影条件の中にはパルスシーケンスも含まれる。
【００９３】
次に、ステップ１１４で、設定された撮影条件に基づいてスキャンが行われる。スキャンは例えば図３ないし図６示したパルスシーケンスのいずれかによって行われる。次に、ステップ１１６で画像再構成が行われ、ステップ１１８で画像の表示および保存が行われる。
【００９４】
図１２に、ステップ１１２における撮影条件設定の一例の詳細なフロー図を示す。同図示すように、ステップ２０２でパルスシーケンス選択が行われる。パルスシーケンス選択は使用者により操作部１９０を通じて行われる。
【００９５】
次に、ステップ２０４で渦電流補正量設定が行われる。渦電流補正量設定は使用者により操作部１９０を通じて行われる。以下、渦電流補正量を単に補正量ともいう。
【００９６】
ＥＰＩ法のパルスシーケンスについては例えば１５％の補正量が設定される。ＦＳＥ法のパルスシーケンスについては例えば１０％の補正量が設定される。ＳＥ法またはＧＲＥ法のパルスシーケンスについては例えば５％の補正量が設定される。なお、補正量がパルスシーケンスごとに予め定まっているときは、ステップ２０４での補正量設定は省略可能である。
【００９７】
次に、ステップ２０６で補正量ａについての判定が行われる。判定はデータ処理部１７０によって行われる。判定の基準値は例えば１０％および１５％となっている。なお、これに限るものではなく任意で良い、また基準値の個数も２つに限らずそれ以上あるいは以下であって良い。
【００９８】
これら基準値に基づいて、ａ＜１０％、１０％≦ａ＜１５％および１５％≦ａのいずれであるかが判定される。なお、補正量がパルスシーケンスごとに予め定まっているときは、パルスシーケンスの種類に応じて判定される。
【００９９】
１５％≦ａであるときは、ステップ２０８で、データ処理部１７０により、最大勾配Ｇｍａｘを例えば１．３Ｇ／ｃｍとし、スルーレートＳＬＲを例えば２０ｍＴ／ｍ／ｍｓｅｃとする設定が行われる。
【０１００】
これによって、有効勾配磁場として例えば図７に破線で示したような波形を持つものが設定される。また、そのような有効勾配磁場を発生させるために、同図に実線で示したような波形を持つ駆動信号が設定される。
【０１０１】
１０％≦ａ＜１５％であるときは、ステップ２１０で、データ処理部１７０により、最大勾配Ｇｍａｘを例えば１．５Ｇ／ｃｍとし、スルーレートＳＬＲを例えば２５ｍＴ／ｍ／ｍｓｅｃとする設定が行われる。
【０１０２】
これによって、有効勾配磁場として例えば図８に破線で示したような波形を持つものが設定される。また、そのような有効勾配磁場を発生させるために、同図に実線で示したような波形を持つ駆動信号が設定される。
【０１０３】
ａ＜１０％であるときは、ステップ２１２で、データ処理部１７０により、最大勾配Ｇｍａｘを例えば１．７Ｇ／ｃｍとし、スルーレートＳＬＲを例えば３０ｍＴ／ｍ／ｍｓｅｃとする設定が行われる。
【０１０４】
これによって、有効勾配磁場として例えば図９に破線で示したような波形を持つものが設定される。また、そのような有効勾配磁場を発生させるために、同図に実線で示したような波形を持つ駆動信号が設定される。
【０１０５】
このような補正量の判定とそれに基づくＧｍａｘおよびＳＬＲの設定は、補正量ａまたはパルスシーケンスとＧｍａｘおよびＳＬＲとの対応表を予めメモリ内に記憶し、それを参照して行うようにしても良い。
【０１０６】
次に、ステップ２１４で、Ｇｍａｘ、ＳＬＲ以外のスキャンパラメータ、例えば、ＴＲ、ＴＥ、ＦＯＶ（Ｆｉｅｌｄ  ｏｆ  Ｖｉｅｗ）、画像マトリクスサイズ（ｍａｒｉｘ  ｓｉｚｅ）等の設定が行われる。それらの設定は操作部１９０を通じて使用者により行われる。
【０１０７】
補正量ａが小さくなるほどＧｍａｘおよびＳＬＲが大きくなるので、使用者によるパラメータ設定の自由度が高まる。すなわち、例えば、ＴＲやＴＥに関する設定可能な最小値がより小さくなる。したがって、スライス数を増加させることができる。また、ＴＲやＴＥの調整範囲が広がることにより、画像のコントラスト（ｃｏｎｔｒａｓｔ）調節範囲が広がる。
【０１０８】
図１３に、ステップ１１２における撮影条件設定の他の例のフロー図を示す。同図示すように、ステップ３０２でパルスシーケンス選択が行われる。パルスシーケンス選択は使用者により操作部１９０を通じて行われる。ここでは、一例として、図４に示したＳＥ法のパルスシーケンスが選択されたものとする。
【０１０９】
次に、ステップ３０４で勾配パルス選択が行われる。勾配パルス選択は使用者により操作部１９０を通じて行われる。一例として、リードアウト勾配パルスＧｒ１が選択されたものとする。
【０１１０】
次に、ステップ３０６で渦電流補正量設定が行われる。これは、使用者により操作部１９０を通じて行われる。リードアウト勾配パルスＧｒ１については高精度の渦電流補正が必要であるとすると、補正量として例えばａ＝１５％が設定される。
【０１１１】
次に、ステップ３０８で補正量が判定され、１５％≦ａであることにより、ステップ３１０でＧｍａｘ＝１．３Ｇ／ｃｍ、ＳＬＲ＝２０ｍＴ／ｍ／ｍｓｅｃが設定される。これらの設定値がリードアウト勾配パルスＧｒ１の設定値としてメモリに記憶される。
【０１１２】
次に、ステップ３１６で、全ての勾配パルスについて設定済であるか否かが判定される。この判定はデータ処理部１７０によって行われる。あるいは使用者が行うようにしても良い。
【０１１３】
否の場合はステップ３０４に戻る。そして、ステップ３０４で別な勾配パルス例えばスライス勾配パルスＧｓ１を選択する。スライス勾配パルスＧｓ１につい、ステップ３０６で補正量ａ＝１０％を設定したとすると、ステップ３０８での判定により、ステップ３１２でＧｍａｘ＝１．５Ｇ／ｃｍ、ＳＬＲ＝２５ｍＴ／ｍ／ｍｓｅｃが設定される。これらの設定値がスライス勾配パルスＧｓ１の設定値としてメモリに記憶される。
【０１１４】
またステップ３０４に戻ってさらに別な勾配パルス例えば位相エンコード勾配パルスＧｐを選択する。位相エンコード勾配パルスＧｐについて、ステップ３０６で補正量ａ＝５％を設定したとすると、ステップ３０８での判定により、ステップ３１４でＧｍａｘ＝１．７Ｇ／ｃｍ、ＳＬＲ＝３０ｍＴ／ｍ／ｍｓｅｃが設定される。これらの設定値が位相エンコード勾配パルスＧｐの設定値としてメモリに記憶される。
【０１１５】
以下同様にして、各勾配パルスのＧｍａｘおよびＳＬＲが設定され、それらの設定値がメモリに記憶される。このようにして、ＧｍａｘおよびＳＬＲを個々の勾配パルスごとに設定することができ、さらにきめ細かな勾配パルス設定を行うことができる。全ての勾配パルスの設定が完了したらステップ３１８で他のスキャンパラメータを設定する。
【０１１６】
このようにして設定された撮影条件に基づいて、ステップ１１４のスキャンが行われる。勾配パルスが上記により適正化されているので、勾配駆動部１３０の能力を有効に使用し効率の良いスキャンを行うことができる。
【０１１７】
以上のような勾配磁場発生機能をコンピュータに実現させるプログラムが、記録媒体に、コンピュータで読み取り可能なように記録される。記録媒体としては、例えば、磁気記録媒体、光記録媒体、光磁気記録媒体およびその他の方式の適宜の記録媒体が用いられる。記録媒体は半導体記憶媒体であっても良い。本書では記憶媒体は記録媒体と同義である。
【０１１８】
【発明の効果】
以上詳細に説明したように、本発明によれば、渦電流補正の程度を多様化し、それに応じて勾配の大きさおよびスルーレートを多様化する勾配磁場発生方法および装置、そのような勾配磁場発生機能をコンピュータに実現させるプログラムを記録した記録媒体、並びに、そのような勾配磁場発生手段を備えた磁気共鳴撮影装置を実現することができる。
【図面の簡単な説明】
【図１】本発明の実施の形態の一例の装置のブロック図である。
【図２】本発明の実施の形態の一例の装置のブロック図である。
【図３】図１または図２に示した装置が実行するパルスシーケンスの一例を示す図である。
【図４】図１または図２に示した装置が実行するパルスシーケンスの一例を示す図である。
【図５】図１または図２に示した装置が実行するパルスシーケンスの一例を示す図である。
【図６】図１または図２に示した装置が実行するパルスシーケンスの一例を示す図である。
【図７】勾配駆動部の能力、駆動出力および有効勾配の関係を示す波形図である。
【図８】勾配駆動部の能力、駆動出力および有効勾配の関係を示す波形図である。
【図９】勾配駆動部の能力、駆動出力および有効勾配の関係を示す波形図である。
【図１０】勾配駆動部の能力、駆動出力および有効勾配の関係を示す波形図である。
【図１１】図１または図２に示した装置の動作のフロー図である。
【図１２】図１１に示した処理の詳細を示すフロー図である。
【図１３】図１１に示した処理の詳細を示すフロー図である。
【図１４】勾配駆動出力および有効勾配の関係を示す波形図である。
【符号の説明】
１００，１００’  マグネットシステム
１０２  主磁場コイル部
１０２’  主磁場マグネット部
１０６，１０６’  勾配コイル部
１０８，１０８’  ＲＦコイル部
１３０  勾配駆動部
１４０  ＲＦ駆動部
１５０  データ収集部
１６０  制御部
１７０  データ処理部
１８０  表示部
１９０  操作部
３００  対象
５００  クレードル
【図１】
0004809972.tif 000002
【図２】
0004809972.tif 000003
【図３】
0004809972.tif 000004
【図４】
0004809972.tif 000005
【図５】
0004809972.tif 000006
【図６】
0004809972.tif 000007
【図７】
0004809972.tif 000008
【図８】
0004809972.tif 000009
【図９】
0004809972.tif 000010
【図１０】
0004809972.tif 000011
【図１１】
0004809972.tif 000012
【図１２】
0004809972.tif 000013
【図１３】
0004809972.tif 000014
【図１４】
0004809972.tif 000015